(57)【要約】【課題】  画像処理装置において、セキュリティの信頼性を確保するとともに、アクセシビリティ操作画面で認証操作ができるようにする。【解決手段】  通常の操作画面とアクセシビリティ操作画面を有する操作表示手段４と、通常の操作画面からアクセシビリティ操作画面に移行するタイミングと、アクセシビリティ操作画面から通常の操作画面に移行するタイミングで、操作者を特定するための認証操作を行わせるよう制御する制御手段１を備えた。【選択図】        図１
2006228005.tif 000002
【特許請求の範囲】
【請求項１】
通常の操作画面とアクセシビリティ操作画面を有する操作表示手段と、通常の操作画面からアクセシビリティ操作画面に移行するタイミングと、アクセシビリティ操作画面から通常の操作画面に移行するタイミングで、操作者を特定するための認証操作を行わせるよう制御する制御手段と、を備えたことを特徴とする画像処理装置。
【請求項２】
請求項１に記載の画像処理装置において、前記制御手段は、通常の操作画面から前記アクセシビリティ操作画面に移行するタイミングで必要とする操作者を特定するための認証操作を、前記通常の操作画面よりも操作ボタンの大きなアクセシビリティ対応された画面において、各操作者に固有のユーザコードを指定するよう制御することを特徴とする画像処理装置。
【請求項３】
請求項１に記載の画像処理装置において、前記制御手段は、前記通常の操作画面からアクセシビリティ操作画面に移行するタイミングで必要とする操作者を特定するための認証操作を、機器管理者への操作承認依頼ボタンの押下とするよう制御することを特徴とする画像処理装置。
【請求項４】
請求項１に記載の画像処理装置において、前記制御手段は、前記アクセシビリティ操作画面から通常操作画面に移行するタイミングで必要とする操作者を特定するための認証操作を、通常の操作画面での各操作者に固有のユーザコード指定とするよう制御することを特徴とする画像処理装置。
【発明の詳細な説明】
【技術分野】
【０００１】
本発明は、画像処理装置に関し、特にアクセシビリティ操作時の認証技術に関するものである。
【背景技術】
【０００２】
近年、コピー機やファクシミリ装置などの画像処理装置においては、操作者として、機能に精通した操作者や健常者だけを想定するだけでなく、初心者や高齢者、弱視者などを想定し、通常の操作画面とは別に、通常の操作画面よりも操作ボタンを大きくし、操作可能な機能を基本機能に絞るようにした、いわゆるアクセシビリティ操作画面を備えたものが知られている。
【発明の開示】
【発明が解決しようとする課題】
【０００３】
上述したように、通常の操作画面の他にアクセシビリティ操作画面を備えた画像処理装置が知られているが、従来はセキュリティのための認証操作に際し、通常の操作画面での認証操作画面しか用意されていないことが多く、アクセシビリティ操作したい操作者に対しては不都合をきたしていた。
また、通常の操作画面での認証操作を強いず、認証の対象外とするケースもあるが、これでは、セキュリティの点で問題がある。
本発明は、セキュリティの信頼性を確保することを目的とし、また、アクセシビリティ操作画面で認証操作ができるようにすることを目的とする。
【課題を解決するための手段】
【０００４】
上記目的を達成するために、請求項１記載の発明は、通常の操作画面とアクセシビリティ操作画面を有する操作表示手段と、通常の操作画面からアクセシビリティ操作画面に移行するタイミングと、アクセシビリティ操作画面から通常の操作画面に移行するタイミングで、操作者を特定するための認証操作を行わせるよう制御する制御手段を備えた画像処理装置を最も主要な特徴とする。
請求項２記載の発明は、請求項１に記載の画像処理装置において、前記制御手段は、通常の操作画面から前記アクセシビリティ操作画面に移行するタイミングで必要とする操作者を特定するための認証操作を、前記通常の操作画面よりも操作ボタンの大きなアクセシビリティ対応された画面において、各操作者に固有のユーザコードを指定するよう制御することを特徴とする。
請求項３記載の発明は、請求項１に記載の画像処理装置において、制御手段は、通常の操作画面からアクセシビリティ操作画面に移行するタイミングで必要とする操作者を特定するための認証操作を、機器管理者への操作承認依頼ボタンの押下とするよう制御する画像処理装置を主要な特徴とする。
請求項４記載の発明は、請求項１に記載の画像処理装置において、制御手段は、アクセシビリティ操作画面から通常操作画面に移行するタイミングで必要とする操作者を特定するための認証操作を、通常の操作画面での各操作者に固有のユーザコード指定とするよう制御する画像処理装置を主要な特徴とする。
【発明の効果】
【０００５】
本発明によれば、通常の操作画面とアクセシビリティ操作画面を有する操作表示手段と、通常の操作画面からアクセシビリティ操作画面に移行するタイミングと、アクセシビリティ操作画面から通常の操作画面に移行するタイミングで、操作者を特定するための認証操作を行わせるよう制御する制御手段を備えたことで、セキュリティの信頼性を確保することができる。
また、制御手段は、通常の操作画面からアクセシビリティ操作画面に移行するタイミングで必要とする操作者を特定するための認証操作を、通常の操作画面よりも操作ボタンの大きなアクセシビリティ対応された画面での、各操作者に固有のユーザコード指定とするよう制御することで、通常の操作画面とアクセシビリティ操作画面を適切に使い分けて、セキュリティの信頼性を確保することができる。
あるいは、制御手段は、通常の操作画面からアクセシビリティ操作画面に移行するタイミングで必要とする操作者を特定するための認証操作を、機器管理者への操作承認依頼ボタンの押下とするよう制御することで、通常の操作画面とアクセシビリティ操作画面を適切に使い分けて、セキュリティの信頼性を確保することができる。
さらには、制御手段は、アクセシビリティ操作画面から通常操作画面に移行するタイミングで必要とする操作者を特定するための認証操作を、通常の操作画面での各操作者に固有のユーザコード指定とするよう制御することで、通常の操作画面とアクセシビリティ操作画面を適切に使い分けて、セキュリティの信頼性を確保することができる。
【発明を実施するための最良の形態】
【０００６】
以下、本発明の実施の形態を図面に従って説明する。
図１は本発明の実施形態に係るファクシミリ装置の機能ブロック図である。本ファクシミリ装置は、ＣＰＵ１、ＲＯＭ２、ＲＡＭ３、操作表示部４、画情報読取部５、画情報出力部６、符号化復号化部７、画情報蓄積部８、モデム９、ＰＳＴＮ制御部１０、ＬＡＮ制御部１１を備え、これら各ユニットはデータバス１２によって接続されている。
ここで、ＣＰＵ１は、ＲＯＭ２に書き込まれたプログラムに従って、ＲＡＭ３を使用しながら、操作表示部４、画情報読取部５、画情報出力部６、符号化復号化部７、画情報蓄積部８、モデム９、ＰＳＴＮ制御部１０、ＬＡＮ制御部１１を制御するものである。操作表示部４は、通常操作画面とアクセシビリティ操作画面を備えている。
次に、本発明のファクシミリ装置の動作について説明する。ただし、ここで説明するのは、本発明に関わる点についてのみとする。すなわち、通常操作画面とアクセシビリティ操作画面の切り替えに関する処理以外の、一般的なファクシミリ装置の動作に関する詳細説明は省略する。
【実施例１】
【０００７】
図２は、通常操作画面とアクセシビリティ操作画面の切り替え処理のフローチャートである。例えば、通常操作画面とアクセシビリティ操作画面の切り替えを１つの切り替えボタンの押下により行うのであれば、通常操作画面において切り替えボタンが押されたのか（Ｓ１）、アクセシビリティ操作画面で切り替えボタンが押されたのか（Ｓ３）をチェックすることで、各操作画面への切り替えがあったかどうかを判断することになる。
ある操作画面への切り替えがあったと判断した場合には（Ｓ１でＹ、Ｓ３でＹ）、その操作画面への切り替え認証処理を実施する（Ｓ２、Ｓ４）。
以上のように実施例１においては、操作者が変わったと予想される、通常の操作画面からアクセシビリティ操作画面に移行するタイミングと、アクセシビリティ操作画面から通常の操作画面に移行するタイミングで、操作者を特定するための認証操作を必要としているので、セキュリティの点でチェック漏れがなく、問題が無い。
【実施例２】
【０００８】
図３は、アクセシビリティ操作画面への切り替え認証処理のフローチャートである。まず、最初に、操作者を特定するためのユーザコード指定画面を表示する（Ｓ１）。このユーザコード指定画面は、通常より大きなボタンで構成されており、アクセシビリティ対応された画面とする。
これは、通常操作画面からアクセシビリティ操作画面への切り替えを行う操作者が、初心者や高齢者、弱視者などであることを想定しており、そのような操作者に、より操作しやすい画面を提供することを目的としている。
次に、機器管理者への操作承認依頼ボタンを表示する（Ｓ２）。これは、操作ボタンが大きくても、やはり直接ユーザコード指定を行うのが困難である場合もあり、そのような場合を想定している。
２つの表示処理を行った後、ユーザコード指定操作が行われたか（Ｓ３）、機器管理者への操作承認依頼操作が行われたか（Ｓ６）を監視する。ユーザコード指定操作が行われた場合は、その内容が予め登録されているユーザコードに一致するかをチェックし（Ｓ４）、一致すれば、操作に対して認証成功と判断し（Ｓ５でＹ）、アクセシビリティ操作画面へ移行を行う（Ｓ７）。
【０００９】
機器管理者への操作承認依頼に際しては、例えば、予め登録された機器管理者のメールアドレスに対して、操作承認依頼メールを送信する。機器管理者は、依頼を受けて、認証処理を行う（Ｓ８、Ｓ９）。
この認証処理の最も単純な例としては、操作者本人であることを実際に見て判断し、操作者に代わって、ユーザコード指定操作を行うというものが考えられる。他には、予め、機器管理者だけが操作可能なユーザコード指定処理をスキップする操作を設けておいて、それを実行することで、認証処理とするといった方法も考えられる。
この場合は、ユーザコードの指定をしないので、操作履歴などを個人で管理することはできなくなるが、機器管理者が操作を許可したｇｕｅｓｔとして、管理すればよい。なお、ユーザコード指定や操作承認依頼操作を行わずに、認証操作を中止するための操作が行われた場合には（Ｓ１０）、アクセシビリティ操作画面への切り替え認証処理を終了することになる。
以上のように実施例２においては、通常の操作画面からアクセシビリティ操作画面に移行するタイミングで必要とする操作者を特定するための認証操作を、通常の操作画面よりも操作ボタンの大きなアクセシビリティ対応された画面での、各操作者に固有のユーザコード指定操作としているので、初心者や高齢者、弱視者などにとっても、操作性に問題がなく、かつ操作者を特定できるので、セキュリティの点でも問題が無い。
また、通常の操作画面からアクセシビリティ操作画面に移行するタイミングで必要とする操作者を特定するための認証操作を、機器管理者への操作認証依頼ボタンの押下としているので、初心者や高齢者、弱視者などにとっても、さらに操作性に問題がなく、かつ操作者を特定できるので、セキュリティの点でも問題が無い。
【実施例３】
【００１０】
図４は、通常操作画面への切り替え認証処理のフローチャートである。図３のアクセシビリティ操作画面への切り替え認証処理との差は、ユーザコード指定操作画面を通常の操作画面として表示する（Ｓ１）という点と、機器管理者への操作承認依頼ボタンを表示しないという点の２点である。その他、ユーザコードが指定された場合の認証処理（Ｓ２〜Ｓ４、Ｓ７）などは、アクセシビリティ操作画面への切り替えの場合と同じである。
以上のように実施例３においては、アクセシビリティ操作画面から通常の操作画面に移行するタイミングで必要とする操作者を特定するための認証操作を、通常の操作画面におけるユーザコード指定操作としているので、健常者にとって使い勝手がよく、セキュリティの点でも問題が無い。
【図面の簡単な説明】
【００１１】
【図１】本発明の実施形態に係るファクシミリ装置の機能ブロック図。
【図２】通常操作画面とアクセシビリティ操作画面の切り替え処理のフローチャート。
【図３】アクセシビリティ操作画面への切り替え認証処理のフローチャート。
【図４】通常操作画面への切り替え認証処理のフローチャート。
【符号の説明】
【００１２】
１  ＣＰＵ（制御手段）
４  操作表示部（操作表示手段）
【図１】
2006228005.tif 000003
【図２】
2006228005.tif 000004
【図３】
2006228005.tif 000005
【図４】
2006228005.tif 000006